(57)【要約】【課題】撮影画像に含まれている被写体画像のうちの特徴画像を他の形態の特徴画像に変更した上で、絵画風画像を作成することを可能とする。  【解決手段】画像記憶部に記憶されている撮影画像の中に含まれている顔画像のうちの特徴画像（例：口元、目などのパーツ画像）を検出し（Ｓ１０２）、この検出された特徴画像を他の形態の特徴画像（例：輪郭線が太いパーツ画像）に変更する（Ｓ１０３）。その後、この変更された他の形態の特徴画像を含む顔画像と当該顔画像を除いた背景画像とを絵画風画像に変換し、この変換された絵画風画像を作成する（Ｓ１０７）。この作成された絵画風画像を表示部に表示させる（Ｓ１０８）。目元などが強調された顔画像を含む絵画風画像を視認することができる。【選択図】図５
2011197995.tif 000002
【特許請求の範囲】
【請求項１】
撮影画像を記憶している画像記憶手段と、
この画像記憶手段に記憶されている撮影画像の中に含まれている被写体画像の特徴部分を検出する特徴検出手段と、
この特徴検出手段により検出された特徴部分を表す特徴画像の形態を他の形態の特徴画像に変更する変更手段と、
この変更手段により変更された特徴画像を含む被写体画像と当該被写体画像を除いた前記撮影画像とを絵画風画像に変換し、この変換された絵画風画像を作成する絵画風画像作成手段と、
を備えていることを特徴とする画像処理装置。
【請求項２】
前記変更手段は、
複数の部位毎に複数の部分画像を記憶している部分画像記憶手段と、
前記特徴検出手段により検出された特徴画像を構成している部位毎の部分画像と同じまたは似ている部分画像を前記部分画像記憶手段から部位毎に読み出し、この読み出された部位毎の部分画像を組み合わせて構成された新たな被写体画像の形態を他の形態の特徴画像に変更する特徴画像変更手段と、
を備えていることを特徴とする請求項１記載の画像処理装置。
【請求項３】
前記変更手段は、
複数の部位毎に複数の部分画像を記憶している部分画像記憶手段と、
前記特徴検出手段により検出された特徴画像を構成している部位毎の部分画像と同じまたは似ている部分画像を前記部分画像記憶手段から部位毎に読み出し、この読み出された部位毎の部分画像を組み合わせて構成された新たな被写体画像である第１の形態画像を作成する第１の形態画像作成手段と、
この第１の形態画像作成手段により作成された第１の形態画像のうちの少なくとも一部の部分画像を他の部分画像と置き換え、この置き換えられた他の部分画像と前記置き換えられていない部分画像とを組み合わせて第２の形態画像を特徴画像として作成する第２の形態画像作成手段と、
を備えていることを特徴とする請求項１記載の画像処理装置。
【請求項４】
前記絵画風画像作成手段は、
前記変更手段により変更された特徴画像と前記被写体画像を除いた背景画像とに対してそれぞれ施される複数の絵画風画像の種類を表示させる絵画風画像種類表示制御手段と、
この絵画風画像種類表示制御手段の制御により表示されている複数の絵画風画像の種類の中から前記特徴画像と前記背景画像とに施される絵画風画像の種類を選択する選択手段と、
この選択手段により選択された絵画風画像の種類に対応して、前記特徴画像と前記背景画像とを異なる絵画風画像に変換し、この変換された絵画風特徴画像と絵画風背景画像とを合成して絵画風画像を作成する絵画風画像作成手段と、
を備えていることを特徴とする請求項１記載の画像処理装置。
【請求項５】
前記絵画風画像作成手段により作成された絵画風画像を表示させる表示制御手段を備えることを特徴とする請求項１記載の画像処理装置。
【請求項６】
撮影画像を記憶している画像記憶部と、画像を表示する表示部とを備えている画像処理装置に用いられる画像処理方法において、
前記画像記憶部に記憶されている撮影画像の中に含まれている被写体画像の特徴部分を検出する特徴検出ステップと、
この特徴検出ステップにより検出された特徴部分を表す特徴画像の形態を他の形態の特徴画像に変更する変更ステップと、
この変更ステップにより変更された特徴画像を含む被写体画像と当該被写体画像を除いた前記撮影画像と前記撮影画像を絵画風画像に変換し、この変換された絵画風画像を作成する絵画風画像作成ステップと、
を備えていることを特徴とする画像処理方法。
【請求項７】
前記変更ステップは、
複数の部位毎に複数の部分画像を記憶している部分画像記憶手段をアクセスし、前記特徴検出ステップにより検出された特徴画像を構成している部位毎の部分画像と同じまたは似ている部分画像を前記部分画像記憶手段から部位毎に読み出し、この読み出された部位毎の部分画像を組み合わせて構成された新たな被写体画像の形態を他の形態の特徴画像に変更する特徴画像変更ステップと、
を備えていることを特徴とする請求項６記載の画像処理方法。
【請求項８】
前記変更ステップは、
複数の部位毎に複数の部分画像を記憶している部分画像記憶手段をアクセスし、前記特徴検出ステップにより検出された特徴画像を構成している部位毎の部分画像と同じまたは似ている部分画像を前記部分画像記憶手段から部位毎に読み出し、この読み出された部位毎の部分画像を組み合わせて構成された新たな被写体画像である第１の形態画像を作成する第１の形態画像作成ステップと、
この第１の形態画像作成ステップにより作成された第１の形態画像のうちの少なくとも一部の部分画像を他の部分画像と置き換え、この置き換えられた他の部分画像と前記置き換えられていない部分画像とを組み合わせて第２の形態画像を特徴画像として作成する第２の形態画像作成ステップと、
を備えていることを特徴とする請求項６記載の画像処理方法。
【請求項９】
前記絵画風画像作成ステップは、
前記変更ステップにより変更された特徴画像と前記被写体画像を除いた背景画像とに対してそれぞれ施される複数の絵画風画像の種類を表示させる絵画風画像種類表示制御ステップと、
この絵画風画像種類表示制御ステップの制御により表示されている複数の絵画風画像の種類の中から前記特徴画像と前記背景画像とに施される絵画風画像の種類を選択するための選択手段が選択操作された際に、この選択手段により選択された絵画風画像の種類に対応して、前記特徴画像と前記背景画像とを絵画風画像に変換し、この変換された絵画風特徴画像と絵画風背景画像とを合成して絵画風画像を作成する絵画風画像作成ステップと、
を備えていることを特徴とする請求項６記載の画像処理方法。
【請求項１０】
前記絵画風画像作成ステップにより作成された絵画風画像を表示させる表示制御ステップを備えることを特徴とする請求項６記載の画像処理方法。
【発明の詳細な説明】
【技術分野】
【０００１】
本発明は、撮影画像に基づいて絵画風画像を作成する画像処理装置及び画像処理方法に関するものである。
【背景技術】
【０００２】
撮影画像から絵画風画像に変換してくれる装置が知られている（例えば下記特許文献１参照）。
【先行技術文献】
【特許文献】
【０００３】
【特許文献１】特開２００４−２１３５９８号公報
【発明の概要】
【発明が解決しようとする課題】
【０００４】
しかしながら、従来のこうした装置の場合、撮影画像を予め定められた画像処理により絵画風画像に変換するのみであり、面白みに欠けるという問題点があった。
【０００５】
この発明は、こうした従来の問題点に鑑みてなされたものであり、撮影された撮影画像を、希望する形態に変更した、変化に富んで面白い絵画風画像を作成可能な画像処理装置及び画像処理方法を得ることを目的とする。
【課題を解決するための手段】
【０００６】
前記課題を解決するため、請求項１記載の発明に係る画像処理装置は、
撮影画像を記憶している画像記憶手段と、
この画像記憶手段に記憶されている撮影画像の中に含まれている被写体画像の特徴部分を検出する特徴検出手段と、
この特徴検出手段により検出された特徴部分を表す特徴画像の形態を他の形態の特徴画像に変更する変更手段と、
この変更手段により変更された特徴画像を含む被写体画像と当該被写体画像を除いた前記撮影画像とを絵画風画像に変換し、この変換された絵画風画像を作成する絵画風画像作成手段と、
を備えていることを特徴とする。
【０００７】
また、請求項２記載の発明に係る画像処理装置は、請求項１記載の画像処理装置において、 
前記変更手段は、
複数の部位毎に複数の部分画像を記憶している部分画像記憶手段と、
前記特徴検出手段により検出された特徴画像を構成している部位毎の部分画像と同じまたは似ている部分画像を前記部分画像記憶手段から部位毎に読み出し、この読み出された部位毎の部分画像を組み合わせて構成された新たな被写体画像の形態を他の形態の特徴画像に変更する特徴画像変更手段と、
を備えていることを特徴とする。
【０００８】
また、請求項３記載の発明に係る画像処理装置は、請求項１記載の画像処理装置において、
前記変更手段は、
複数の部位毎に複数の部分画像を記憶している部分画像記憶手段と、
前記特徴検出手段により検出された特徴画像を構成している部位毎の部分画像と同じまたは似ている部分画像を前記部分画像記憶手段から部位毎に読み出し、この読み出された部位毎の部分画像を組み合わせて構成された新たな被写体画像である第１の形態画像を作成する第１の形態画像作成手段と、
この第１の形態画像作成手段により作成された第１の形態画像のうちの少なくとも一部の部分画像を他の部分画像と置き換え、この置き換えられた他の部分画像と前記置き換えられていない部分画像とを組み合わせて第２の形態画像を特徴画像として作成する第２の形態画像作成手段と、
を備えていることを特徴とする。
【０００９】
また、請求項４記載の発明に係る画像処理装置は、請求項１記載の画像処理装置において、
前記絵画風画像作成手段は、
前記変更手段により変更された特徴画像と前記被写体画像を除いた背景画像とに対してそれぞれ施される複数の絵画風画像の種類を表示させる絵画風画像種類表示制御手段と、
この絵画風画像種類表示制御手段の制御により表示されている複数の絵画風画像の種類の中から前記特徴画像と前記背景画像とに施される絵画風画像の種類を選択する選択手段と、
この選択手段により選択された絵画風画像の種類に対応して、前記特徴画像と前記背景画像とを異なる絵画風画像に変換し、この変換された絵画風特徴画像と絵画風背景画像とを合成して絵画風画像を作成する絵画風画像作成手段と、
を備えていることを特徴とする。
【００１０】
また、請求項５記載の発明に係る画像処理装置は、請求項１記載の画像処理装置において、前記絵画風画像作成手段により作成された絵画風画像を表示させる表示制御手段を備えることを特徴とする。
【００１１】
また、請求項６記載の発明に係る画像処理方法は、
撮影画像を記憶している画像記憶部と、画像を表示する表示部とを備えている画像処理装置に用いられる画像処理方法において、
前記画像記憶部に記憶されている撮影画像の中に含まれている被写体画像の特徴部分を検出する特徴検出ステップと、
この特徴検出ステップにより検出された特徴部分を表す特徴画像の形態を他の形態の特徴画像に変更する変更ステップと、
この変更ステップにより変更された特徴画像を含む被写体画像と当該被写体画像を除いた前記撮影画像と前記撮影画像を絵画風画像に変換し、この変換された絵画風画像を作成する絵画風画像作成ステップと、
を備えていることを特徴とする。
【００１２】
また、請求項７記載の発明に係る画像処理方法は、請求項６記載の画像処理方法において、
前記変更ステップは、
複数の部位毎に複数の部分画像を記憶している部分画像記憶手段をアクセスし、前記特徴検出ステップにより検出された特徴画像を構成している部位毎の部分画像と同じまたは似ている部分画像を前記部分画像記憶手段から部位毎に読み出し、この読み出された部位毎の部分画像を組み合わせて構成された新たな被写体画像の形態を他の形態の特徴画像に変更する特徴画像変更ステップと、
を備えていることを特徴とする。
【００１３】
また、請求項８記載の発明に係る画像処理方法は、請求項６記載の画像処理方法において、 
前記変更ステップは、
複数の部位毎に複数の部分画像を記憶している部分画像記憶手段をアクセスし、前記特徴検出ステップにより検出された特徴画像を構成している部位毎の部分画像と同じまたは似ている部分画像を前記部分画像記憶手段から部位毎に読み出し、この読み出された部位毎の部分画像を組み合わせて構成された新たな被写体画像である第１の形態画像を作成する第１の形態画像作成ステップと、
この第１の形態画像作成ステップにより作成された第１の形態画像のうちの少なくとも一部の部分画像を他の部分画像と置き換え、この置き換えられた他の部分画像と前記置き換えられていない部分画像とを組み合わせて第２の形態画像を特徴画像として作成する第２の形態画像作成ステップと、
を備えていることを特徴とする。
【００１４】
また、請求項９記載の発明に係る画像処理方法は、請求項６記載の画像処理方法において、
前記絵画風画像作成ステップは、
前記変更ステップにより変更された特徴画像と前記被写体画像を除いた背景画像とに対してそれぞれ施される複数の絵画風画像の種類を表示させる絵画風画像種類表示制御ステップと、
この絵画風画像種類表示制御ステップの制御により表示されている複数の絵画風画像の種類の中から前記特徴画像と前記背景画像とに施される絵画風画像の種類を選択するための選択手段が選択操作された際に、この選択手段により選択された絵画風画像の種類に対応して、前記特徴画像と前記背景画像とを絵画風画像に変換し、この変換された絵画風特徴画像と絵画風背景画像とを合成して絵画風画像を作成する絵画風画像作成ステップと、
を備えていることを特徴とする。
【００１５】
また、請求項１０記載の発明に係る画像処理方法は、請求項６記載の画像処理方法において、前記絵画風画像作成ステップにより作成された絵画風画像を表示させる表示制御ステップを備えることを特徴とする。
【発明の効果】
【００１６】
本発明によれば、鑑賞者の意図を充分に反映した絵画風画像を確実かつ容易に作成することができる。
【００１７】
また、本発明によれば、画像記憶手段に記憶されている撮影画像の中に含まれている被写体画像の特徴部分を検出し、この検出された特徴部分を表す特徴画像の形態を他の形態の特徴画像に変更した上で、この変更された特徴画像を含む被写体画像と当該被写体画像を除いた撮影画像とを絵画風画像に変換し、この変換された絵画風画像を作成することができる。したがって、たとえば、目元などが強調された顔画像を含む絵画風画像を表示することができるので、より一層、全部または一部が強調された絵画風画像を視認することができる。
【００１８】
更に、本発明によれば、作成された絵画風画像を表示部に表示することができる。
【図面の簡単な説明】
【００１９】
【図１】本発明の一実施の形態に係るデジタルカメラと表示装置との外観を示す図である。
【図２】同デジタルカメラと表示装置との電気的構成の概略を示すブロック構成図である。
【図３】ＲＡＭのメモリ構成図である。
【図４】ＲＯＭのメモリ構成図である。
【図５】本発明の実施の形態における絵画風画像作成表示処理の手順を示すフローチャートである。
【図６】（a）は撮影画像の表示例を示す図であり、（ｂ）は顔画像を検出中の表示例を示す図である。
【図７】検出中の顔画像とパーツ別形態強調設定用表示画面との表示例を示す図である。
【図８】パーツ別形態強調設定後の顔画像の表示例を示す図である。
【図９】絵画風画像の種類を選択する際の表示例を示す図である。
【図１０】絵画風画像に変換された顔画像と背景画像とを合成した後の表示例を示す図である。
【発明を実施するための形態】
【００２０】
以下、本発明の実施形態について説明する。
図１は、本発明の一実施の形態に係るデジタルカメラ１と表示装置１００との外観を示す背面図である。
このデジタルカメラ１の背面には、メニューキー２、モードダイアル３、表示部４、カーソルキー５、ＳＥＴキー６等が設けられている。また、上面にはシャッターキー８、電源ボタン９が設けられている。さらに、正面側には、後述の撮像レンズを備えた撮影部１０が設けられている。このデジタルカメラ１で撮影された撮影画像などは、内蔵された後述のＲＡＭ２２またはメモリカード２４に記憶されるようになっている。
一方、表示装置１００の表面には、装着されたメモリカード２４に記憶されている撮影画像などを表示するための表示部１３が設けられている。表示装置１００は、リモコン装置１０１により制御される。
【００２１】
図２は、デジタルカメラ１と表示装置１００との電気的構成の概略を示すブロック構成図である。
デジタルカメラ１は、撮像部１０とＣＰＵ１１とを備えている。前者の撮像部１０は、ＣＣＤを備えている。後者のＣＰＵ１１は、このＣＣＤにより撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えている。
【００２２】
撮像部１０を構成しているＣＣＤの受光面には、撮像レンズ、フォーカスレンズ、絞りを通過して被写体の光学像が結像される。フォーカスレンズはＡＦモータ等からなる駆動機構に保持されており、ＣＰＵ１１からの制御信号によりＡＦドライバーが出力する駆動信号が駆動機構に供給されることにより光軸上を前後に移動する合焦動作を行う。絞りは、ＣＰＵ１１からの制御信号に基づき絞り駆動部が発生する駆動信号により駆動しＣＣＤに入射する被写体像の光量を調整する。
【００２３】
また、ＣＰＵ１１には、タイミング信号を発生するＴＧ（Timing Generator）が接続されており、このＴＧが発生したタイミング信号に基づきＶドライバー（垂直方向ドライバー）がＣＣＤを駆動し、それに伴いＣＣＤにより被写体像の輝度に応じたアナログの撮像信号が出力されユニット回路へ送られる。
【００２４】
ユニット回路は、ＣＣＤから出力された撮像信号を保持するＣＤＳと、このＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤの出力信号は、ここで黒レベルを合わせてサンプリングされデジタル信号としてＣＰＵ１１に送られる。ゲイン調整アンプ（ＡＧＣ）は、ＩＳＯ感度に応じた増幅率で、ＣＤＳから供給される撮像信号を増幅する。
【００２５】
ＣＰＵ１１には、シャッターキー８を含む前記キー群をからなる入力部２１のほかに、表示部４、ＲＡＭ２２、ＲＯＭ２３、メモリカード２４が接続されている。
【００２６】
ＲＡＭ２２は作業用のメモリであり、メモリカード２４は画像記録用のメモリである。ＣＣＤからＣＰＵ１１に送られたデジタル信号である撮像信号は、ＲＡＭ２２に一時保存されるとともに、ＣＰＵ１１によって各種の画像処理が施された後、最終的には圧縮された画像データとしてメモリカード２４に記録される。なお、このメモリカード２４はカメラ本体に着脱自在なカード型のものである。
【００２７】
メモリカード２４に記録された撮影画像等は、必要に応じてＣＰＵ１１に読み出され、伸長処理、輝度信号及び色信号の付加等の処理を経てデジタルビデオ信号やアナログビデオ信号に変換され、表示部４によって表示される。また表示部４には、記録モードにおいて周期的に撮像された画像がスルー画像として表示される。
【００２８】
ＲＯＭ２３は、ＣＰＵ１１における各部の制御及びデータ処理に必要な各種の動作プログラムが記録されたプログラムＲＯＭである。すなわち、ＲＯＭ２３には、前記プログラムとともに、撮影時の適正な露出値に対応するＩＳＯ感度とシャッタースピードとの組み合わせを示すプログラム線図等の各種データが格納されている。
【００２９】
ＣＰＵ１１は、シャッタースピードであるＣＣＤの電荷蓄積時間や、前記絞りの開放度、前記ユニット回路のゲイン調整アンプ（ＡＧＣ）のゲインの制御によるＡＥ制御を行うとともに、所定のプログラムに従い、フォーカスレンズを駆動するＡＦ（オートフォーカス）制御、ＡＷＢ（オートホワイトバランス）制御を行う。メモリカード２４は、撮影された撮影画像などを記憶する。
【００３０】
ＲＡＭ２２内には、図３に示す絵画風変換データエリア２２１が設けられている。この絵画風変換データエリア２２１には、第１記憶部２２２、第２記憶部２２３、第３記憶部２２４、第４記憶部２２５及び第４記憶部２２６が設けられている。
【００３１】
第１記憶部２２２には、撮影された撮影画像１、２・・・Ｎが記憶される。第２記憶部２２３には、撮影画像の中に存在する人物画像である顔画像と背景画像とが記憶される。また、第３記憶部２２４には、顔画像を構成しているパーツ画像とそのパーツ画像の位置を示す座標位置とが記憶される。第４記憶部２２５は、変更後パーツ画像とその変更後パーツ画像の位置を示す座標位置とが記憶される。更に、第５記憶部２２９は、人物絵画風画像と背景絵画風画とを合成した後の、最終的な絵画風画像が記憶される。
また、ＲＯＭ２３内には、人物画像を構成している複数の部位であるパーツ別に、互いに異なる複数のパーツ画像が設けられている。
たとえば、図６に示すように、複数のパーツである「まゆ毛」「目」「鼻」「口」別に、互いに異なる複数のパーツ画像を記憶しているパーツ画像記憶領域４１Ａ〜４１Ｄが設けられている。
【００３２】
一方、表示装置１００は、撮影部１０を除き、デジタルカメラ１の構成と同様な構成を備えている。この表示装置１００は、リモコン装置１０１のリモコン操作で制御される。
【００３３】
以上の構成に係る本実施の形態において、デジタルカメラ１はＣＰＵ１１がＲＯＭ２３に格納されているプログラムに従って処理を実行することにより、図５のフローチャートに示す絵画風画像作成表示処理を実行する。
【００３４】
すなわち、使用者がこのデジタルカメラ１を携帯し、例えば、被写体として、背景を富士山とし、前面を人物とするシーンのもとでシャッターキー８を押下すると、ＣＰＵ１１は撮影処理を開始し、撮影部により、図６（a）に示したように、富士山画像６aと人物画像６ｂとからなる撮影画像６を取得する。この取得された撮影画像６は、ＲＡＭ２２における第１記憶部２２２に記憶される。
【００３５】
次に、ＣＰＵ１１は、撮影画像表示処理を実行して、表示部４に撮影した撮影画像６を表示させる（ステップＳ１０１）。これにより、表示部４には、図６（a）に示した撮影画像６が表示される。
【００３６】
引き続き、ＣＰＵ１１は、撮影画像６aの中に存在する人物画像６ｂのうちの顔画像部分を検出する（ステップＳ１０２）。このステップＳ１０２で行われる被写体別の顔検出顔処理は、公知の顔検出技術を用いて人物の顔検出を行う。顔検出が終了すると、その顔画像ＫＡの周りに枠６ｃが表示される。
【００３７】
さらに、図３に示すように、この顔検出した顔画像ＫＡと当該顔画像の位置を示す座標位置（ｘ１，ｙ１）とが第２記憶部２２３に記憶される。
【００３８】
次に、ＣＰＵ１１は、顔画像ＫＡを構成している部位毎の部分画像（パーツ画像ともいう）の形状を、認識技術などを用いて認識し、この認識された部位毎の部分画像と同じまたは似ている部分画像を部分画像記憶用ＲＯＭの中から部位毎に検索する。
部分画像記憶用ＲＯＭ２３Ａは、図４に示すように、複数の部位４１Ａ〜４１Ｄ毎に複数の部分画像を記憶している。
図４には、各部位を示す「まゆ毛」「目」「鼻」「口」・・・の４１Ａ〜４１Ｄ毎に、互いに異なる形状の複数の部分画像が記憶されている例を示す。
ＣＰＵ１１は、検索した結果、撮影された顔画像を構成している部位毎の部分画像と同じまたは似ている部分画像が部分画像記憶用ＲＯＭの中に存在していれば、部分画像表示部上の該当する部分画像を識別表示する。この例では、該当する部分画像は、図６（ｂ）に示すように、斜線で部分画像を示している。この実施の形態の場合、撮影画像の中の人物画像を構成している各部分画像は、部分画像記憶用ＲＯＭ２３Ａ内に記憶されている部分画像とまったく同じ形状の部分画像であったことを示している。
次に、ＣＰＵ１１は、図７に示すように、パーツ別形態強調設定用表示画面を、顔画像の隣に表示する。
このパーツ別形態強調設定用表示画面には、「各パーツの強調度合いを設定してください」と、使用者に各パーツの強調度合いの設定を促すメッセージ部９０を表示する一方で、その下部位置に、パーツ別の強調度合いを示す項目７Ａ〜９Ｄ（または種類アイコンでもよい）を表示する。
【００３９】
ユーザは、このパーツ別形態強調設定用表示画面において、顔画像のうちの少なくとも一部を変更したいと考えた場合は、入力部２１のキー操作により現在の太さを示す部分画像（図７における斜線で示す）以外の他の部分画像を選択する。
例えば、「まゆ毛」の太さを変更したいと考えた場合は、現在の太さを示す現在太さ項目から希望する太さを示す希望太さ項目を選択する。「目元」「鼻」「口元」についても、その太さを変更したいと考えた場合は、現在の太さを示す現在太さ項目から希望する太さを示す希望太さ項目を選択する。
図８の場合、「まゆ毛」「目元」「鼻」「口元」のうち、「鼻」を除く「まゆ毛」「目元」「口元」の太さが一番太い線図の形態となるように変更設定した場合を示す。
「鼻」を除く「まゆ毛」「目元」「口元」の太さが一番太い線図の形態となるように変更設定すると、図９に示すように、「鼻」を除く「まゆ毛」「目元」「口元」の太さが一番太い線図を備えている部分画像が部分画像記憶用ＲＯＭ２３Ａ内から読み出されて表示される。このために、「鼻」を除く「まゆ毛」「目元」「口元」がそれぞれ強調された顔画像ＫＢを表示させることができる。
【００４０】
次に、ＣＰＵ１１は、この顔画像ＫＢと背景画像６aとに対して、変換したい絵画風画像の種類を選択する際の処理に移行する（ステップＳ１０４）。
図９は、変換したい絵画風画像の種類を一覧表示した場合の表示例を示す図である。この図に示すように、「変換したい絵画風画像の種類を選択してください」と、使用者に絵画風画像の種類の選択を促すメッセージ部９０を表示する一方で、その下部位置に、絵画風画像の種類を示す項目９Ａ〜９Ｆ（または種類アイコンでもよい）を表示する。
【００４１】
次に、ＣＰＵ１１は、この絵画風画像の種類を一覧表示したあとに、使用者が絵画風画像の種類を選択するための入力部２１内の選択スイッチ２１aが操作されたか否かを判別する（ステップＳ１０５）。
【００４２】
次に、ＣＰＵ１１は、選択スイッチ２１aが操作されたことを判別した際は、この選択スイッチ２１aの操作により選択された絵画風画像の種類に応じた絵画風変換処理を実行する（ステップＳ１０６）。
図９の左画面は、絵画風画像の種類を一覧表示したあとに、使用者が絵画風画像の種類を選択した場合を示す。
すなわち、選択スイッチ２１aの操作により、顔画像ＫＢと背景画像６aとに共通して、変換したい絵画風画像の種類の一つである「油絵画風Ａ」の項目が選択されると、ＣＰＵ１１は、この選択された「油絵画風Ａ」に従って、顔画像ＫＢに対して絵画風変換処理を施す。
選択スイッチ２１aの操作により、「色鉛筆画風Ｂ」の項目が選択されると、この選択された「色鉛筆画風Ｂ」に従って、顔画像ＫＢに対して絵画風変換処理を施す。同様、他の絵画風画像の種類の選択の場合も同様である。
このようにして顔画像ＫＢに対して絵画風変換処理を施こされた絵画風顔画像とそれの座標位置とは、ＲＡＭ２２の第４の記憶部２２５に記憶される。
【００４３】
次に、ＣＰＵ１１は、絵画風合成画面を表示する処理に移行する（ステップＳ１１０）。
図１０は、絵画風合成画面を表示した場合の表示例を示す図である。この図１０の右画面は、「設定された絵画風画像の種類は次のとおり」と、使用者が設定した絵画風画像の種類を示すメッセージ部９０を表示する一方で、その下部位置に、「顔画像」「背景画像」と当該各画像に設定された「油絵画風Ａ」とを示す選択項目（またはアイコンでもよい）を表示する。
他方、この図１０の左画面は、油絵画風顔画像と油絵画風背景画像とを合成した後の合成画像が表示される。
【００４４】
以上のような実施の形態によれば、記憶されている撮影画像の中に含まれている顔画像を検出し、この検出された顔画像のうちの各パーツ別形態変更後の顔画像を作成した上で、この作成された顔画像と当該顔画像を除いた背景画像とを希望する形式の絵画風画像に変換し、この変換された絵画風顔画像と絵画風背景画像とを合成して絵画風画像を作成することができる。このために、顔画像と背景画像とを希望する形式の絵画風画像に変換された絵画風画像を、迅速かつ容易に観賞することができる。そればかりでなく、撮影画像に含まれている顔画像のうちのパーツ画像を太さが太い線図の部分画像に変更した上で、絵画風画像を作成し、表示することができるので、目元、口元などが強調された顔画像を含む絵画風画像を視認することができる。
【００４５】
また、この表示させた絵画風画像をメモリカード２４に記憶し、この記憶されたメモリカード２４を表示装置１００に装着すれば、大画面の表示部１３により、絵画風画像を観賞することもできる。
【００４６】
なお、本実施の形態においては、本発明をデジタルカメラに適用した場合を示したが、デジタルカメラに限らず、携帯電話等の他の電子機器に適用するようにしてもよい。
また、本実施の形態においては、顔画像と背景画像とに共通して、変換したい絵画風画像の種類の一つを選択し、この選択された一つの絵画風画像の種類に従って、顔画像と背景画像とに共通して絵画風変換処理を施こした場合について説明しているが、顔画像と背景画像とに、変換したい絵画風画像の種類の一つを別個独立して選択し、この選択された個々の絵画風画像の種類に従って、顔画像と背景画像とを別々に絵画風変換処理を施こしてもよい。
また、本実施の形態においては、顔画像に絵画風変換処理を施こしているが、顔画像のほかに胴体、足部などの他の部位の画像に対して絵画風変換処理を施こしてもよい。
また、本実施の形態においては、被写体画像の特徴部分として顔画像の各パーツ画像を検出し、この検出されたパーツ画像の形態を他の形態の特徴画像に変更した上で、この変更された特徴画像を含む被写体画像などを絵画風画像に変換し、この変換された絵画風画像を作成しているが、顔画像の各パーツ画像に代えて、山、建造物などの画像の輪郭を抽出し、この抽出された輪郭の輪郭線を太いまたは細い輪郭線に変更し、この変更された太いまたは細い輪郭線に対して絵画風画像に変換し、この変換された絵画風画像を作成するようにしてもよい。
【符号の説明】
【００４７】
１    デジタルカメラ
４    表示部
１１    ＣＰＵ
２４    メモリカード
【図１】
2011197995.tif 000003
【図２】
2011197995.tif 000004
【図３】
2011197995.tif 000005
【図４】
2011197995.tif 000006
【図５】
2011197995.tif 000007
【図６】
2011197995.tif 000008
【図７】
2011197995.tif 000009
【図８】
2011197995.tif 000010
【図９】
2011197995.tif 000011
【図１０】
2011197995.tif 000012